(57)【要約】【課題】ダイレクト印刷において画像形成装置側でのページ選択を可能とすること。【解決手段】モバイル端末２にて閲覧可能な形式の画像データをネットワークを介して取得し、取得した画像データに含まれる複数ページのうち画像形成出力の対象とするページをユーザに選択させるためのページ選択画面をディスプレイパネル１４０に表示させ、ページ選択画面におけるページの選択操作に応じてページ選択情報を生成し、生成されたページ選択情報にて示される画像形成出力対象のページについて描画情報を生成し、生成された描画情報に基づいてプリントエンジン１６０を制御して画像形成出力を実行することを特徴とする。【選択図】図３
2014039130.tif 000002
【特許請求の範囲】
【請求項１】
情報処理装置にて閲覧可能な形式の画像情報をネットワークを介して取得する画像取得部と、
取得した前記画像情報に含まれる複数ページのうち画像形成出力の対象とするページをユーザに選択させるためのページ選択画面を表示部に表示させるページ選択画面表示処理部と、
前記ページ選択画面におけるページの選択操作に応じて、前記画像情報に含まれる複数ページのうち画像形成出力の対象とするページを示すページ選択情報を生成するページ選択受付部と、
生成された前記ページ選択情報にて示される画像形成出力対象のページについて、画像形成部が画像形成出力を実行するための情報である描画情報を、前記画像情報に基づいて生成する画像処理部と、
生成された描画情報に基づいて画像形成部を制御して画像形成出力を実行する画像形成出力制御部とを含むことを特徴とする画像形成装置。
【請求項２】
取得された前記画像情報を記憶する画像情報記憶部と、
記憶された前記画像情報を選択するための画像選択画面を表示部に表示させる画像選択画面表示処理部とを含み、
前記画像取得部は、ネットワークを介して入力された画像情報を取得する機能に加えて、前記画像選択画面にて選択された画像情報を取得する機能を有することを特徴とする請求項１に記載の画像形成装置。
【請求項３】
取得された前記画像情報を記憶するか否かをユーザに選択させるための画像記憶要否選択画面を表示部に表示させる画像記憶要否選択画面表示処理部を含み、
前記画像情報記憶部は、前記画像記憶要否選択画面にて前記画像情報の記憶が指示された場合に前記画像情報を記憶することを特徴とする請求項２に記載の画像形成装置。
【請求項４】
前記ページ選択情報は、前記画像情報に含まれる複数ページの夫々について画像形成出力の対象とするか否かを示す情報を含み、
前記画像処理部は、前記画像情報に含まれる複数ページの全てについて画像形成出力の対象外とすることが前記ページ選択情報にて示されている場合に、全ページが画像形成出力の対象であるものとして描画情報を生成することを特徴とする請求項１乃至３いずれか１項に記載の画像形成装置。
【請求項５】
前記ページ選択情報は、前記画像情報に含まれる複数ページの夫々について画像形成出力の対象とするか否かをビット値によって示す情報であり、
前記ページ選択受付部は、取得された前記画像情報に含まれるページ数によって前記ページ選択情報のビット数を決定することを特徴とする請求項１乃至４いずれか１項に記載の画像形成装置。
【請求項６】
携帯型情報処理端末にて保存されている画像情報を画像形成装置にて画像形成出力する画像処理システムであって、
前記携帯型情報処理端末にて保存されている画像情報を、情報形式を変換することなく前記画像形成装置に送信する画像情報送信部と、
前記携帯側情報処理端末から送信された画像情報をネットワークを介して取得する画像取得部と、
取得した前記画像情報に含まれる複数ページのうち画像形成出力の対象とするページをユーザに選択させるためのページ選択画面を表示部に表示させるページ選択画面表示処理部と、
前記選択画面におけるページの選択操作に応じて、前記画像情報に含まれる複数ページのうち画像形成出力の対象とするページを示すページ選択情報を生成するページ選択受付部と、
生成された前記ページ選択情報にて示される画像形成出力対象のページについて、画像形成部が画像形成出力を実行するための情報である描画情報を、前記画像情報に基づいて生成する画像処理部と、
生成された描画情報に基づいて画像形成部を制御して画像形成出力を実行する画像形成出力制御部とを含むことを特徴とする画像処理システム。
【請求項７】
情報処理装置にて閲覧可能な形式の画像情報をネットワークを介して取得して記憶媒体に格納し、
取得した前記画像情報に含まれる複数ページのうち画像形成出力の対象とするページをユーザに選択させるためのページ選択画面を表示部に表示させ、
前記選択画面におけるページの選択操作に応じて、前記画像情報に含まれる複数ページのうち画像形成出力の対象とするページを示すページ選択情報を生成し、
生成された前記ページ選択情報にて示される画像形成出力対象のページについて、画像形成部が画像形成出力を実行するための情報である描画情報を、前記画像情報に基づいて生成し、
生成された描画情報に基づいて画像形成部を制御して画像形成出力を実行することを特徴とする画像形成装置の制御方法。
【発明の詳細な説明】
【技術分野】
【０００１】
本発明は、画像形成装置、画像処理システム及び画像形成装置の制御方法に関し、特に、画像形成出力対象の情報を携帯型情報処理端末からそのまま受信して画像形成出力を実行する際の処理に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
また、近年、携帯電話が高機能化され、ＰＣ（Ｐｅｒｓｏｎａｌ  Ｃｏｍｐｕｔｅｒ）に準じた情報処理機能を有するスマートフォンやタブレット端末のような携帯型情報処理端末（以降、「携帯端末」とする）の普及が進んでいる。このような携帯端末の使用により、業務上においてＰＣから画像形成装置へ画像データを送信して画像形成出力を実行する従来の態様に加えて、携帯端末から画像形成装置へ画像データを送信して画像形成出力を実行する態様も増えている。
【０００４】
他方、画像形成出力の態様として、画像データを送信する側においてインストールされているプリンタドライバにより印刷ジョブを生成して画像形成装置に送信する態様の他、出力対象の画像データをそのまま送信するダイレクト印刷が用いられることがある。このようなダイレクト印刷において、不要な紙出力の回避やネットワーク負荷の軽減のため、画像データを出力する側において選択されたページのみを画像形成装置に送信する方法が提案されている（例えば、特許文献１参照）。
【発明の概要】
【発明が解決しようとする課題】
【０００５】
このようなダイレクト印刷は、従来のＰＣ（Ｐｅｒｓｏｎａｌ  Ｃｏｍｐｕｔｅｒ）とは異なる構成を有し、従来のプリンタドライバをそのまま用いることが難しい携帯端末において特に効果的である。しかしながら、特許文献１に開示されている方法を用いる場合、携帯端末側でページを選択するのみであり、画像形成装置側でページを選択することは不可能である、
【０００６】
本発明は、このような課題を解決するためになされたものであり、ダイレクト印刷において画像形成装置側でのページ選択を可能とすることを目的とする。
【課題を解決するための手段】
【０００７】
上記課題を解決するために、本発明の一態様は、情報処理装置にて閲覧可能な形式の画像情報をネットワークを介して取得する画像取得部と、取得した前記画像情報に含まれる複数ページのうち画像形成出力の対象とするページをユーザに選択させるためのページ選択画面を表示部に表示させるページ選択画面表示処理部と、前記ページ選択画面におけるページの選択操作に応じて、前記画像情報に含まれる複数ページのうち画像形成出力の対象とするページを示すページ選択情報を生成するページ選択受付部と、生成された前記ページ選択情報にて示される画像形成出力対象のページについて、画像形成部が画像形成出力を実行するための情報である描画情報を、前記画像情報に基づいて生成する画像処理部と、生成された描画情報に基づいて画像形成部を制御して画像形成出力を実行する画像形成出力制御部とを含むことを特徴とする。
【０００８】
また、本発明の他の態様は、携帯型情報処理端末にて保存されている画像情報を画像形成装置にて画像形成出力する画像処理システムであって、前記携帯型情報処理端末にて保存されている画像情報を、情報形式を変換することなく前記画像形成装置に送信する画像情報送信部と、前記携帯側情報処理端末から送信された画像情報をネットワークを介して取得する画像取得部と、取得した前記画像情報に含まれる複数ページのうち画像形成出力の対象とするページをユーザに選択させるためのページ選択画面を表示部に表示させるページ選択画面表示処理部と、前記選択画面におけるページの選択操作に応じて、前記画像情報に含まれる複数ページのうち画像形成出力の対象とするページを示すページ選択情報を生成するページ選択受付部と、生成された前記ページ選択情報にて示される画像形成出力対象のページについて、画像形成部が画像形成出力を実行するための情報である描画情報を、前記画像情報に基づいて生成する画像処理部と、生成された描画情報に基づいて画像形成部を制御して画像形成出力を実行する画像形成出力制御部とを含むことを特徴とする。
【０００９】
また、本発明の更に他の態様は、情報処理装置にて閲覧可能な形式の画像情報をネットワークを介して取得して記憶媒体に格納し、取得した前記画像情報に含まれる複数ページのうち画像形成出力の対象とするページをユーザに選択させるためのページ選択画面を表示部に表示させ、前記選択画面におけるページの選択操作に応じて、前記画像情報に含まれる複数ページのうち画像形成出力の対象とするページを示すページ選択情報を生成し、生成された前記ページ選択情報にて示される画像形成出力対象のページについて、画像形成部が画像形成出力を実行するための情報である描画情報を、前記画像情報に基づいて生成し、生成された描画情報に基づいて画像形成部を制御して画像形成出力を実行することを特徴とする。
【発明の効果】
【００１０】
本発明によれば、ダイレクト印刷において画像形成装置側でのページ選択を可能とすることができる。
【図面の簡単な説明】
【００１１】
【図１】本発明の実施形態に係る画像処理システムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るモバイル機器の機能構成を示すブロック図である。
【図５】本発明の実施形態に係る画像処理装置の動作を示すフローチャートである。
【図６】本発明の実施形態に係るページ選択画面の例を示す図である。
【図７】本発明の実施形態に係るページ選択情報の例を示す図である。
【図８】本発明の実施形態に係るページ選択動作を示すフローチャートである。
【図９】本発明の実施形態に係る出力ページの抽出動作を示すフローチャートである。
【図１０】本発明の実施形態に係る出力実行後の動作を示すフローチャートである。
【図１１】本発明の実施形態に係る画像データの保存確認画面の例を示す図である。
【発明を実施するための形態】
【００１２】
以下、図面を参照して、本発明の実施形態を詳細に説明する。本実施形態においては、スマートフォンやタブレット端末等のモバイル機器から画像形成装置に画像データを送信して画像形成出力を実行させるダイレクト印刷において、画像データを受信した画像形成装置側で出力ページを選択することが可能な画像処理システムを例として説明する。
【００１３】
図１は、本実施の形態に係る画像処理システムの運用形態の例を示す図である。図１に示すように、本実施形態に係る画像処理システムは、画像形成装置１及びモバイル端末２が、インターネットやＬＡＮ（Ｌｏｃａｌ  Ａｒｅａ  Ｎｅｔｗｏｒｋ）等のネットワークを介して接続されて構成される。また、図１に示すように、本実施形態に係るモバイル端末２は、無線ＬＡＮ等の無線通信を介してネットワークに接続されている。
【００１４】
画像形成装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。モバイル端末２は、スマートフォン、タブレット端末、ＰＤＡ（Ｐｅｒｓｏｎａｌ  Ｄｉｇｉｔａｌ  Ａｓｓｉｓｔａｎｔｓ）等の可搬型の情報処理端末である。本実施形態に係るモバイル端末２は、画像形成装置１に対して、画像形成出力を実行させるための元となる画像データを送信する機能を有する。
【００１５】
次に、本実施形態に係る画像処理システムに含まれる画像形成装置１及びモバイル端末２等の情報処理装置を構成するハードウェアについて説明する。図２は、本実施形態に係る情報処理装置のハードウェア構成を示すブロック図である。図２に示すように、本実施形態に係る情報処理装置は、一般的なサーバやＰＣ等と同様の構成を含む。
【００１６】
即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像形成装置１の場合、画像形成出力やスキャンを実行するエンジンが含まれる。
【００１７】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１８】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボード、マウス、各種のハードボタン、タッチパネル等、ユーザが情報処理装置に情報を入力するためのユーザインタフェースである。
【００１９】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係る画像処理システムを構成する各機器の機能を実現する機能ブロックが構成される。
【００２０】
次に、本実施形態に係る画像形成装置１の機能について説明する。図３は、本実施形態に係る画像形成装置１の機能構成を示すブロック図である。図３に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、ネットワークＩ／Ｆ１８０及びカードＲ／Ｗ１９０を有する。
【００２１】
また、コントローラ１００は、主制御部１０１、エンジン制御部１０２、入出力制御部１０３、画像処理部１０４及び操作表示制御部１０５を有する。図３に示すように、本実施形態に係る画像形成装置１は、スキャナユニット１２０、プリントエンジン１６０を有する複合機として構成されている。尚、図３においては、電気的接続を実線の矢印で示しており、用紙の流れを破線の矢印で示している。
【００２２】
ディスプレイパネル１４０は、画像形成装置１の状態を視覚的に表示する出力インタフェースとしての表示部であると共に、タッチパネルとしてユーザが画像形成装置１を直接操作し若しくは画像形成装置１に対して情報を入力する際の入力インタフェース（操作部）でもある。ネットワークＩ／Ｆ１８０は、画像形成装置１がネットワークを介して管理者用端末等の他の機器と通信するためのインタフェースであり、Ｅｔｈｅｒｎｅｔ（登録商標）やＵＳＢインタフェースが用いられる。
【００２３】
カードＲ／Ｗ１９０は、画像形成装置１が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。
【００２４】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像形成装置１全体を制御する制御部として機能する。
【００２５】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０、カードＲ／Ｗ１９０を介して入力される信号や命令を主制御部１０１に入力する。また、主制御部１０１は、入出力制御部１０３を制御し、ネットワークＩ／Ｆ１８０やカードＲ／Ｗ１９０及びネットワークを介して他の装置にアクセスする。
【００２６】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像形成装置１に格納され若しくはネットワークＩ／Ｆ１８０や近距離通信Ｉ／Ｆ１９０を介して他の機器に送信される情報である。
【００２７】
また、画像処理部１０４は、ダイレクト印刷に対応するための機能として、モバイル端末２から取得した画像データを解析することにより、画像形成装置１が処理可能な形式の画像データ（以降、「処理可能データ」とする）を生成する。この処理可能データとは、例えば一般的な画像処理装置が情報処理装置から受信する印刷ジョブに含まれる画像の形式であり、ＰＤＬ（Ｐａｇｅ  Ｄｅｓｃｒｉｐｔｉｏｎ  Ｌａｎｇｕａｇｅ）データ等が用いられる。このように生成された処理可能データに基づき、上述した描画情報が生成される。
【００２８】
更に、画像処理部１０４は、本実施形態の要旨に係る機能として、ユーザによって指定されたページについてのみ描画情報を生成する機能を有する。これについては後述する。操作表示制御部１０５は、ディスプレイパネル１４０に情報表示を行い若しくはディスプレイパネル１４０を介して入力された情報を主制御部１０１に通知する。本実施形態におけるユーザによる出力対象のページの指定は、ディスプレイパネル１４０に表示された画面に応じて実行される。従って、主制御部１０１は、操作表示制御部１０５が取得する操作情報に応じて、ユーザによる出力対象のページの指定を受け付ける。
【００２９】
画像形成装置１が一般的なプリンタとして動作する場合は、まず、入出力制御部１０３がネットワークＩ／Ｆ１８０を介して印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００３０】
画像形成装置１がスキャナとして動作する場合は、ユーザによるディスプレイパネル１４０の操作若しくはネットワークＩ／Ｆ１８０を介して外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３１】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像形成装置１に装着された記憶媒体に保存される。画像処理部１０４によって生成された画像情報は、ユーザの指示に応じてそのままＨＤＤ４０等に格納され若しくはネットワークＩ／Ｆ１８０、近距離通信Ｉ／Ｆ１９０を介して、入出力制御部１０３により外部の装置に送信される。
【００３２】
また、画像形成装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３３】
次に、本実施形態に係るモバイル端末２の機能構成について、図４を参照して説明する。図４に示すように、本実施形態に係るモバイル端末２は、図２において説明したＬＣＤ６０、操作部７０に加えて、コントローラ２００、ネットワークＩ／Ｆ２１０及び近距離通信Ｉ／Ｆ２２０を含む。また、コントローラ２００は、ネットワーク制御部２０１、操作制御部２０２、表示制御部２０３、近距離通信制御部２０４及びクライアントアプリケーション２３０を含む。
【００３４】
ネットワークＩ／Ｆ２１０は、モバイル端末２がネットワークを介して他の機器と通信するためのインタフェースであり、Ｅｔｈｅｒｎｅｔ（登録商標）等のインタフェースが用いられる。近距離通信Ｉ／Ｆ２２０は、モバイル端末２が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。ネットワークＩ／Ｆ２１０、近距離通信Ｉ／Ｆ２２０は、図２に示すＩ／Ｆ５０によって実現される。
【００３５】
コントローラ２００は、ソフトウェアとハードウェアとの組み合わせによって構成される。コントローラ２００は、モバイル端末２全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。近距離通信制御部２０４は、近距離通信Ｉ／Ｆ２２０を介して入力される情報を取得すると共に、近距離通信Ｉ／Ｆ２２０を介して他の機器に情報を送信する。
【００３６】
本実施形態において、近距離通信Ｉ／Ｆ２２０及び近距離通信制御部２０４は、クライアントアプリケーション２４０が有するカードエミュレーション機能と連動することにより、画像形成装置１のカードＲ／Ｗ１９０によって読み取られるＩＣ（Ｉｎｔｅｇｒａｔｅｄ  Ｃｉｒｃｕｉｔ）カードのようにモバイル端末２を振る舞わせるための機能を実現する。
【００３７】
操作制御部２０２は、操作部７０に対するユーザによる操作内容の信号を取得し、クライアントアプリケーション２０４等のモバイル端末２において動作するモジュールに入力する。表示制御部２０３は、クライアントアプリケーション２３０のＧＵＩ（Ｇｒａｐｈｉｃａｌ  Ｕｓｅｒ  Ｉｎｔｅｒｆａｃｅ）等、モバイル端末２の状態をＬＣＤ６０に表示させる。
【００３８】
クライアントアプリケーション２３０は、本実施形態に係る画像処理システムの機能をモバイル端末２において利用するために、モバイル端末２にインストールされて動作するソフトウェア・プログラムによって構成される。クライアントアプリケーション２３０は、画像形成装置１に画像形成出力を実行させるために画像データを送信する機能、画像形成装置１、２との間でカードＲ／Ｗ１９０を介した近距離通信によって通信する際に、ＩＣカードとして振る舞うためのカードエミュレーション機能を有する。
【００３９】
このような構成において、本実施形態に係る要旨は、モバイル端末２から画像データを受信した画像形成装置１における、出力対象ページの選択及び選択されたページの画像形成出力にある。以下、本実施形態の要旨に係る動作について説明する。モバイル端末２から画像形成装置１への画像データの送信は、例えばクライアントアプリケーション２３０によって実現される専用のデータ送信機能や、ネットワークを介したファイル共有機能によって実現される。即ち、モバイル端末２において、クライアントアプリケーション２３０が、画像情報送信部として機能する。尚、モバイル端末２から画像形成装置１への画像データの送信に用いられるインタフェースは、一般的にはネットワークＩ／Ｆ２１０であるが、近距離通信Ｉ／Ｆ２２０を用いても良い。
【００４０】
モバイル端末２から画像形成装置１へ送信可能な画像データの形式は、ＰＤＦ（Ｐｏｒｔａｂｌｅ  Ｄｏｃｕｍｅｎｔ  Ｆｏｒｍａｔ）、ＸＭＬ（ｅＸｔｅｎｓｉｂｌｅ  Ｍａｒｋｕｐ  Ｌａｎｇｕａｇｅ）のように広く一般に用いられている形式であり、モバイル端末２において閲覧や編集が可能な形式である。即ち、モバイル端末２は、画像形成装置１において画像形成出力を実行させる際、出力対象の画像データをモバイル端末２に保存されている形式のまま画像形成装置１に送信する。この他、ＰＣＬ（Ｐｒｉｎｔｅｒ  Ｃｏｎｔｒｏｌ  Ｌａｎｇｕａｇｅ）、ＨＴＭＬ（ＨｙｐｅｒＴｅｘｔ  Ｍａｒｋｕｐ  Ｌａｎｇｕａｇｅ）、ＰｏｓｔＳｃｒｉｐｔ等、画像形成装置１が読取可能な形式であれば、他の様々なデータ形式を用いることが可能である。
【００４１】
図５は、モバイル端末２から画像データを受信した画像形成装置１の動作を示すフローチャートである。図５に示すように、画像形成装置１の主制御部１０１は、モバイル端末２から画像データを取得すると（Ｓ５０１）、画像処理部１０４を制御し、上述した処理可能データを生成させるための画像データ解析を実行させる（Ｓ５０２）。即ち、Ｓ５０１においては、主制御部１０１が、入出力制御部１０３と連動することにより画像取得部として機能する。
【００４２】
尚、Ｓ５０１において、主制御部１０１は、受信した画像データをＨＤＤ４０のような画像形成装置１内の記憶媒体に一次的に格納する。画像処理部１０４によって処理可能データが生成されると、主制御部１０１は、生成された処理可能データに基づいて操作表示制御部１０５を制御し、出力対象の画像データに含まれるページから出力するべきページを選択するためのページ選択画面をディスプレイパネル１４０に表示させる（Ｓ５０３）。即ち、Ｓ５０３においては、主制御部１０１が、操作表示制御部１０５と連動することにより、ページ選択画面表示処理部として機能する。
【００４３】
Ｓ５０３において、主制御部１０１は、処理可能データに基づいて比較的低解像度の表示用データを生成し、操作表示制御部１０５に画面表示を実行させる。このようにしてディスプレイパネル１４０にページ選択画面が表示されることにより、ユーザによるページ選択画面に対する操作によって出力させるべきページの選択が可能となる。主制御部１０１は、操作表示制御部１０５を介して、ユーザによるページ選択を受け付けると（Ｓ５０４）、画像処理部１０４を制御し、選択されたページについての描画情報をＳ５０２において生成された処理可能データに基づいて生成させる（Ｓ５０５）。
【００４４】
Ｓ５０５の処理により、ユーザによって選択されたページに付いての画像形成出力のための描画情報が生成されると、主制御部１０１は、エンジン制御部１０２を制御して、Ｓ５０５において生成された描画情報に基づいて画像形成出力を実行させる（Ｓ５０６）。このような動作により、本実施形態に係るページ選択による画像形成出力動画が完了する。
【００４５】
図６（ａ）、（ｂ）は、Ｓ５０３において操作表示制御部１０５の制御により表示されるページ選択画面の例を示す図である。図６（ａ）に示すように、本実施形態に係るページ選択画面においては、Ｓ５０１において取得された画像データの各ページが見開きで表示される。ユーザは、図６（ａ）に示すように表示された画面上にタッチした指を左右にスライドすることにより、表示されるページを切り替えることができる。即ち、操作表示制御部１０５は、ディスプレイパネル１４０のタッチパネル面に対するスライド操作を認識し、画面上に表示させるページを切り替える。
【００４６】
また、図６（ａ）においては、ページ端部を拡大表示している。図６（ａ）の拡大表示に示すように、ページ端部には“２５”、“３０”、“４５”のように数字が表示されている。これらの数字は、現在表示中のページ以外のページ数を示す数字である。ユーザは、このようにページ端末に表示された数字に応じた位置をスライド操作することにより、１ページ毎ではなく複数ページを一操作でめくることが可能である。即ち、ユーザは、１ページ毎にページをめくる場合には、表示されたページ上を始点としてスライド操作を行い、複数ページをめくる場合には、ページ端部に表示された数字に応じた位置を始点としてスライド操作を行う。
【００４７】
また、図６（ａ）に示すように、ページ選択画面において見開き表示された各ページには、“このページを印刷する”という文字を含む操作部（以降、「出力対象選択部」とする）が表示されている。ユーザは、ページ選択画面において出力対象選択部をタッチすることにより、対応するページを出力対象として指定する。図６（ｂ）は、ユーザによってタッチされた出力対象選択部の表示の切り替え状態を示す図である。
【００４８】
ユーザによって出力対象のページが選択されると、ディスプレイパネル１４０に対する操作に応じて操作表示制御部１０５が図６（ｂ）に示すように表示を変更する他、主制御部１０１が、ページの選択結果を示すページ選択情報の内容を更新する。図７は、本実施形態に係るページ選択情報の態様を示す図である。
【００４９】
図７に示すように、本実施形態に係るページ選択情報は所定のビット数によって構成される情報であり、ｂｉｔ０は１ページ目、ｂｉｔ１は２ページ目・・・というように、各ビットの“０”、“１”が、各ページの出力要否を示している。ページ選択情報のビット数は、受信された画像データのページ数が４ページ以下なら４ｂｉｔ、８ページ以下なら８ｂｉｔ、１６ページ以下なら１６ｂｉｔ、３２ページ以下なら３２ｂｉｔというように、受信された画像データのページ数によって決定される。これにより、不必要にサイズの大きい情報を処理する必要がなくなる。
【００５０】
次に、図８を参照して、本実施形態に係るページ選択動作について説明する。図８は、図５のＳ５０３において選択画面が表示された後、Ｓ５０４の処理に進むまでの動作の詳細を示すフローチャートである。図５に示すように、主制御部１０１は最初に、受信した画像データのページ数に基づき、上述したページ選択情報のビット数を決定してページ選択情報を用意する（Ｓ８０１）。用意されたページ選択情報は、例えばＲＡＭ２０上に確保された記憶領域に保持される。
【００５１】
そして主制御部１０１は、操作表示制御部１０５から通知される操作内容の情報を待ち、ｎページ目についての印刷指定、即ち、ｎページ目について出力対象選択部が操作され、出力対象に指定されたことの通知を受けると（Ｓ８０２／ＹＥＳ）、ｎページ目に対応するｂｉｔ値、即ち、ｎ−１ビット目のビット値を“１”に設定する（Ｓ８０３）。他方、ｎページ目について出力対象選択部が操作され、出力対象から外されたことの通知を受けると（Ｓ８０４／ＹＥＳ）、ｎページ目に対応するｂｉｔ値、即ち、ｎ−１ビット目のビット値を“０”に設定する（Ｓ８０３）。このように、Ｓ８０１〜Ｓ８０５においては、主制御部１０１が、ページ選択受付部として機能する。
【００５２】
主制御部１０１は、ユーザがディスプレイパネル１４０に含まれる印刷ボタンを押下して印刷の実行を命令するまで、Ｓ８０１〜Ｓ８０５の処理を繰り返す（Ｓ８０６／ＮＯ）。そして、印刷ボタンが押下されたことが操作表示制御部１０５から通知されたら（Ｓ８０６／ＹＥＳ）、主制御部１０１は、ユーザの操作に応じて生成されたページ選択情報と共に出力実行通知を画像処理部１０４に通知する（Ｓ８０７）。これにより、画像処理部１０４において描画情報の生成が開始される。
【００５３】
次に、主制御部１０１から出力実行通知を受けた画像処理部１０４の動作について、図９を参照して説明する。図９に示すように、描画情報の生成を開始した画像処理部１０４は、主制御部１０１から通知されたページ選択情報を参照し、全ｂｉｔが“０”であるか否かを確認する（Ｓ９０１）。図８において説明したように、“０”は、印刷対象外を示すビット値であるが、全ページが印刷対象外であるということはあり得ない。従って、画像処理部１０４は、全ｂｉｔが“０”である場合には（Ｓ９０１／ＮＯ）、図６において説明したような出力対象選択部に対する操作が全く行われず、全ページを出力対象とする場合であると判断する。
【００５４】
他方、全ｂｉｔが“０”ではなかった場合（Ｓ９０１／ＹＥＳ）、画像処理部１０４は、ページ選択情報の各ビット値を参照し、値が“１”であるビットに対応するページを出力対象のページとして、Ｓ５０２において生成した処理可能データから抽出する（Ｓ９０２）。Ｓ９０２の処理により出力対象のページを抽出し終えたか、全ｂｉｔが“０”であるために全ページを出力対象とすると、画像処理部１０４は、出力対象のページに付いて画像処理を行い、描画情報を生成する（Ｓ９０３）。そして、描画情報の生成が完了すると、画像処理部１０４は、主制御部１０１の制御に従い、画像形成出力の実行の為に描画情報をエンジン制御部１０２に出力する（Ｓ９０４）。
【００５５】
このような処理により、エンジン制御部１０２がプリントエンジン１６０を制御して印刷されるページはユーザによって選択されたページのみとなる。この際、エンジン制御部１６０が、画像形成出力制御部として機能し、画像処理部１０４から入力された描画情報に基づいて画像形成部であるプリントエンジン１６０を制御する。このような処理により、本実施形態に係る画像形成装置側でのページ選択が実現される。
【００５６】
尚、主制御部１０１は、図８のＳ８０６においてユーザにより印刷ボタンが押下された後、Ｓ８０７の処理の他、受信した画像データの保存の確認動作を行う。この動作に付いて、図１０を参照して説明する。図１０に示すように、主制御部１０１は、押下ボタンが押されたことの通知を受けると、“画像データを消去しますか？”という文字情報が表示された操作画面、即ち、画像データを記憶するか否かをユーザに選択させるための画像記憶要否選択画面を、操作表示制御部１０５を制御してディスプレイパネル１４０に表示させる（Ｓ１００１）。Ｓ１００１においては、主制御部１０１が操作表示制御部１０５と連動することにより、画像記憶要否選択画面表示処理部として機能する。図１１は、Ｓ１００１において表示される画像記憶要否選択画面の例を示す図である。
【００５７】
図１１に示す画面において、“はい”が選択された場合（Ｓ１００２／ＹＥＳ）、主制御部１０１は、図５のＳ５０１において受信した後に記憶媒体に一次的に格納されている画像データを消去し（Ｓ１００３）、その後操作表示制御部１０５を制御して、画像データを消去したことをユーザに伝えるための画面をディスプレイパネル１４０に表示させる（Ｓ１００４）。
【００５８】
他方、図１１に示す画面において“いいえ”が選択された場合（Ｓ１００２／ＮＯ）、主制御部１０１は、画像データをＨＤＤ４０等の記憶媒体に保存し（Ｓ１００５）、その後操作表示制御部１０５を制御して、画像データを保存したことをユーザに伝えるための画面をディスプレイパネル１４０に表示させる（Ｓ１００６）。このような処理により、画像データの保存の確認動作が完了する。尚、ここでは、ＨＤＤ４０が画像情報記憶部として機能する。
【００５９】
このように、ダイレクト印刷のために受信した画像データを画像形成装置１内において保存する機能を持たせることにより、同一の文書を出力する場合において再度の画像データの転送が不要となり、ユーザの利便性を高めることが可能となる。具体的には、主制御部１０１が、図１０において説明した動作により画像形成装置１のＨＤＤ４０に保存された画像データを選択するためのユーザインタフェースを操作表示制御部１０５を介してディスプレイパネル１４０に表示させる。ここでは、主制御部１０１が操作表示制御部１０５を制御することにより、画像選択画面表示処理部として機能する。
【００６０】
そのようにして表示されたユーザインタフェースにおいて画像データが選択された場合に、選択された画像データを図５のＳ５０１において取得した画像データとしてＳ５０２以降の処理を実行することにより、画像形成装置１内において保存された画像データに基づく印刷出力が可能となる。
【００６１】
また、ユーザの選択に応じて画像データを保存せずに消去する機能を持たせることにより、情報セキュリティや画像形成装置１に搭載された記憶容量についての要求に対応することが可能となる。
【００６２】
ここで、画像形成装置１に保存された画像データに基づく印刷出力を行う場合において、出力の度に異なるページを選択する可能性があり得る。このような態様は、モバイル端末２から画像データを受信し、画像形成装置１側において必要なページを選択する態様において可能となる。即ち、モバイル端末２側で必要なページが選択され、そのページの画像データのみを受信する場合、その画像データを用いて再度印刷出力を行う場合に出力可能となるのは、最初にモバイル端末２側において選択されたページの範囲内であり、元の画像データに含まれる全ページから出力対象を選択することはできない。
【００６３】
これに対して、本実施形態に係るシステムのようにモバイル端末２から全ページの画像データを受信した上で、画像形成装置１においてページを選択する場合、画像形成装置１に保存される画像データは全ページ分のデータである。そのため、後から同一の画像データに基づいて印刷出力を行う場合、最初の印刷出力において選択されたページに関わらず、画像データの全ページから出力対象のページを選択することが可能となる。
【００６４】
尚、図１１に示すような画面や、Ｓ１００４及びＳ１００６において表示される画面は、画像形成装置１のディスプレイパネル１４０に表示する場合の他、モバイル端末２のＬＣＤ６０に表示するようにしても良い。そのような場合、図１１に示す画面をモバイル端末２において表示する態様としては、例えば、画像形成装置１において印刷ボタンが押下された場合に、画像形成装置１がモバイル端末２に対して通知を行い、その通知に応じてクライアントアプリケーション２３０が画面表示を制御することにより実現可能である。また、ユーザがモバイル端末２を操作し、モバイル端末２が画像形成装置１に画像データを送信した際に、クライアントアプリケーション２３０が画面表示を制御することによっても実現可能である。
【符号の説明】
【００６５】
１  画像形成装置
２  モバイル端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
１９０  近距離通信Ｉ／Ｆ
２００  コントローラ
２０１  ネットワーク制御部
２０２  操作制御部
２０３  表示制御部
２０４  近距離通信制御部
２１０  ネットワークＩ／Ｆ
２２０  近距離通信Ｉ／Ｆ
２３０  クライアントアプリケーション
【先行技術文献】
【特許文献】
【００６６】
【特許文献１】特開２０１１−４８４８３号公報
【図１】
2014039130.tif 000003
【図２】
2014039130.tif 000004
【図３】
2014039130.tif 000005
【図４】
2014039130.tif 000006
【図５】
2014039130.tif 000007
【図６】
2014039130.tif 000008
【図７】
2014039130.tif 000009
【図８】
2014039130.tif 000010
【図９】
2014039130.tif 000011
【図１０】
2014039130.tif 000012
【図１１】
2014039130.tif 000013